(57)【要約】【課題】  可動台を起伏操作可能に形成した洗い場用カウンターにおいて、可動台を起伏操作する際、操作感や手応えを得られ、且つ起伏姿勢を確実に保持できるようにする。【解決手段】  可動台５の起伏姿勢を保持するロック機構１０を備える。このロック機構１０を、可動台５に横軸４に沿って横軸４の下側に設けたロックシャフト１１と、このロックシャフト１１を横軸４の側に常時牽引するバネ１２と、又可動台５の起伏動作時にロックシャフト１１を前端縁１３ａに摺接させて案内する横軸４支承用のブラケット１３とで形成する。このブラケット１３が、その前端縁１３ａに、可動台５の起伏時にロックシャフト１１を係合させる上下一対の切り欠き１３１と、傾倒させた可動台５を支持する屈曲状に凹まれた支持部１３２とを備えてなる。【選択図】      図１
2005246087.tif 000002
【特許請求の範囲】
【請求項１】
浴室の側壁に固定される固定台と、この固定台に横軸を中心に側壁の側に回動自在に取り付けられた可動台とでなり、この可動台の前端が固定台の前端より洗い場側に突き出されて形成された洗い場用カウンターであって、上記可動台の起伏姿勢を保持するロック機構を備え、このロック機構が、可動台に上記の横軸に沿って横軸の下側に設けられたロックシャフトと、このロックシャフトを横軸の側に常時牽引するバネと、又可動台の起伏動作時にロックシャフトを前端縁に摺接させて案内する横軸支承用のブラケットとで形成され、このブラケットが、その前端縁に、可動台の起伏時にロックシャフトを係合させる上下一対の切り欠きと、傾倒させた可動台を支持する屈曲状に凹まれた支持部とを備えてなることを特徴とする洗い場用カウンター。
【請求項２】
請求項１記載の洗い場用カウンターであって、固定台の前側中央部が側壁側に凹まれて凹部に形成され、可動台がこの凹部に係合されて固定台と略同じ高さに取り付けられたことを特徴とする洗い場用カウンター。
【請求項３】
請求項２記載の洗い場用カウンターであって、可動台の後方の固定台の位置に、洗面器の底を受ける凹段差状の受け部が形成されたことを特徴とする洗い場用カウンター。
【請求項４】
請求項１乃至３の何れかに記載の洗い場用カウンターであって、可動台の裏面に、入浴用具の引っ掛け具が取り付けられてなることを特徴とする洗い場用カウンター。
【発明の詳細な説明】
【技術分野】
【０００１】
本発明は、洗い場用カウンターに関し、更に詳しくは洗面器等の置き台として使用する可動台を、起伏操作可能に形成した洗い場用カウンターに関するものである。
【背景技術】
【０００２】
従来この種のカウンターとしては、例えば浴室の側壁に固定する固定台と、この固定台に横軸を中心に側壁の側に回動自在に取り付けた可動台とでなり、この可動台の前端を固定台の前端より洗い場側に突き出させて形成したものがある（例えば特許文献１参照）。
【０００３】
ところで従来のこの種カウンターは、可動台を起伏操作する際、手応えが特になく、又起立時は可動台を固定台の前側の垂直面に寄りかからせて起立姿勢を保持させる仕組みであった。
【０００４】
従って従来品の場合は、可動台を起伏操作する際、可動範囲を確認できず、又可動台に軽く触れただけで前側に倒れることがあったから、従来品によると使い勝手が悪かっただけではなく、倒れたときの振動や衝撃で横軸の支承箇所が壊れ易いものであった。
【特許文献１】特許第２７３２７４９号公報
【発明の開示】
【発明が解決しようとする課題】
【０００５】
本発明は、このような従来品の問題点に鑑み、提案されたものである。
従って本発明の技術的課題は、可動台を起伏操作可能に形成した洗い場用カウンターにおいて、可動台を起伏操作する際、操作感や手応えを得られ、且つ起伏姿勢を確実に保持できるよう形成した洗い場用カウンターを提供することにある。
【課題を解決するための手段】
【０００６】
本発明は、上記の課題を解決するために、次のような技術的手段を採る。
【０００７】
即ち本発明は、図１等に示されるように、浴室の側壁１に固定される固定台３と、この固定台３に横軸４を中心に側壁１の側に回動自在に取り付けられた可動台５とでなり、この可動台５の前端５ａが固定台３の前端３ａより洗い場２側に突き出されて形成された洗い場用カウンターであって、上記可動台５の起伏姿勢を保持するロック機構１０を備え、このロック機構１０が、可動台５に上記の横軸４に沿って横軸４の下側に設けられたロックシャフト１１と、このロックシャフト１１を横軸４の側に常時牽引するバネ１２と、又可動台５の起伏動作時にロックシャフト１１を前端縁１３ａに摺接させて案内する横軸４支承用のブラケット１３とで形成され、このブラケット１３が、その前端縁１３ａに、可動台５の起伏時にロックシャフト１１を係合させる上下一対の切り欠き１３１と、傾倒させた可動台５を支持する屈曲状に凹まれた支持部１３２とを備えてなることを特徴とする（請求項１）。
【０００８】
又本発明のカウンターは、図１、図３等に示されるように、固定台３の前側中央部が側壁１側に凹まれて凹部３ｂに形成され、可動台５がこの凹部３ｂに係合されて固定台３と略同じ高さに取り付けられるのが好ましい（請求項２）。
【０００９】
この場合は、可動台５が固定台３の凹部３ｂに係合するため、可動台５の前端５ａの突き出し寸法を抑えながら、且つ可動台５を洗面器１８（図１２等参照）の置き台として使用可能な大きさに形成できる。又この場合は、可動台５が固定台３と略同じ高さのため、図１２に示されるように、可動台５から洗面器１８が後方側に滑って移動しても、固定台３の上面で受け止めることができる。
【００１０】
又本発明の場合は、図１１、図１２に示されるように、可動台５の後方の固定台３の位置に、洗面器１８の底を受ける凹段差状の受け部３ｃが形成されるのが好ましい（請求項３）。
【００１１】
この場合は、受け部３ｃで洗面器１８の位置ずれを防止できるから、洗面器１８を安定した状態で使用できる。なおこの本発明の場合は、凹段差状の受け部３ｃに代え、図１３に示されるように、固定台３が可動台５より低くなるよう、可動台５を固定台３に回動自在に取り付けてなるのでも良い。
【００１２】
又本発明は、図１４、図１５に示されるように、可動台５の裏面に、入浴用具１９の引っ掛け具２０が取り付けられてなるのでも良い（請求項４）。
【００１３】
この場合は、可動台５を起立させたとき、その裏面を入浴用具１９の一時的な取り付け箇所に利用できるから、可動台５を活用でき、その分、使い勝手が良くなる、という利点がある。ここで、入浴用具１９の引っ掛け具２０としては、例えば入浴用具１９としてのシャワーヘッドを掛けるためのホルダー（図１４参照）や、入浴用具１９としてのタオルを掛けるためのバー（図１５参照）等がある。
【発明の効果】
【００１４】
以上説明したように本発明は、可動台の起伏姿勢を保持するロック機構を備え、このロック機構がバネと切り欠きの作用でロックシャフトを切り欠きに係合可能に形成されたものである。
従ってこの本発明品によれば、可動台の起伏姿勢を確実に保持でき、又入浴者に可動台の起伏操作感や手応えを感じさせることができる。
【発明を実施するための最良の形態】
【００１５】
以下、本発明を実施するための最良の形態を説明する。
本発明のカウンターは、図１、図２等に示されるように、浴室の側壁１に固定されて洗い場２側に突き出される固定台３と、この固定台３に横軸４を中心に側壁１の側に回動自在に取り付けられた可動台５とでなり、この可動台５の前端５ａが固定台３の前端３ａより洗い場２側に突き出されて形成されている。なお可動台５と固定台３は、この実施形態では夫々下側に例えば金属製の化粧カバー８、９を備えてなる。
【００１６】
１０は、上記可動台５の起伏姿勢を保持するためのロック機構である。このロック機構１０は、可動台５に上記の横軸４に沿って横軸４の下側に設けられたロックシャフト１１と、このロックシャフト１１を横軸４の側に常時牽引するバネ１２と、又可動台５の起伏動作時にロックシャフト１１を前端縁１３ａに摺接させて案内する横軸４支承用のブラケット１３とで形成されている。
【００１７】
上記の横軸４とロックシャフト１１は、可動台５の内部の両側に設けられた金属製の支持板１４から、外方に突き出されて設けられている。又上記のバネ１２は、各端部が横軸４とロックシャフト１１に掛けられ、ロックシャフト１１はこのバネ１２で長孔１５の上端縁に当圧するよう牽引されている。
【００１８】
又上記のブラケット１３は、その前端縁１３ａに、可動台５の起伏時にロックシャフト１１を係合させる上下一対の切り欠き１３１と、傾倒させた可動台５を支持する支持部１３２とを備えてなる。支持部１３２は、屈曲状に凹まれて形成され、この支持部１３２に可動台５の側面から突き出されたストッパー部材１６が係止される。
【００１９】
次にこの本発明カウンターの作用を説明する。
可動台５は、図６に示されるように、水平姿勢をとるときはロックシャフト１１が下側の切り欠き１３１に係合される。この場合ストッパー部材１６が支持部１３２に係止される結果、可動台５は下降することなく水平に保持される。
【００２０】
又この状態から入浴者が可動台５をバネ１２の牽引力に抗して引き起こすと、ロックシャフト１１はブラケット１３の前端縁１３ａに沿って移動し、可動台５が垂直位置に至ると図７に示されるように、ロックシャフト１１がバネ１２の牽引力で上側の切り欠き１３１に係合する。この結果可動台５が、垂直状に保持されるものである。
【００２１】
以上の処において、本発明の場合、上記のロックシャフト１１は、図９、図１０に示されるように、略Ｗ字状の係合部材１７と組み合わされ、この係合部材１７によって係合可能に形成されるのでも良い。
【００２２】
また本発明は、図１６〜図１８に示されるように、可動台５及び固定台３の下側の化粧カバー８、９に水抜き用の孔８１や切り欠き部９１が形成され、内部に浸入した水を排水できるよう形成されるのでも良い。
【図面の簡単な説明】
【００２３】
【図１】本発明カウンターの要部斜視図である。
【図２】本発明カウンターの要部分解斜視図である。
【図３】本発明カウンターの要部平面図である。
【図４】図３のＩＶーＩＶ線断面図である。
【図５】可動台の起立時における、図３のＩＶーＩＶ線断面図である。
【図６】図３のＶＩーＶＩ線断面図である。
【図７】可動台の起立時における、図３のＶＩーＶＩ線断面図である。
【図８】図３のVIIIーVIII線断面図である。
【図９】ロックシャフトの他の係合事例を示す要部側面図である。
【図１０】図９の実施形態で可動台が傾倒した状態の要部側面図である。
【図１１】固定台の他の実施形態を示す要部斜視図である。
【図１２】図１１の実施形態の作用を説明するための要部側面図である。
【図１３】固定台を可動台より低く設けた実施形態を示す要部側面図である。
【図１４】入浴用具の引っ掛け具を示す要部斜視図である。
【図１５】引っ掛け具の他の実施形態を示す要部斜視図である。
【図１６】可動台の他の実施形態を示す要部斜視図である。
【図１７】図１６の実施形態で可動台が起立したときの水抜き作用を説明するための要部断面図である。
【図１８】図１６の実施形態で可動台が傾倒したときの水抜き作用を説明するための要部断面図である。
【符号の説明】
【００２４】
１      側壁
２      洗い場
３      固定台
３ａ    前端
４      横軸
５      可動台
５ａ    前端
１０    ロック機構
１１    ロックシャフト
１２    バネ
１３    ブラケット
１３ａ  前端縁
１３１  切り欠き
１３２  支持部
【図１】
2005246087.tif 000003
【図２】
2005246087.tif 000004
【図３】
2005246087.tif 000005
【図４】
2005246087.tif 000006
【図５】
2005246087.tif 000007
【図６】
2005246087.tif 000008
【図７】
2005246087.tif 000009
【図８】
2005246087.tif 000010
【図９】
2005246087.tif 000011
【図１０】
2005246087.tif 000012
【図１１】
2005246087.tif 000013
【図１２】
2005246087.tif 000014
【図１３】
2005246087.tif 000015
【図１４】
2005246087.tif 000016
【図１５】
2005246087.tif 000017
【図１６】
2005246087.tif 000018
【図１７】
2005246087.tif 000019
【図１８】
2005246087.tif 000020